(57)【要約】【課題】「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｓｈｏｒｔ  ＭＡＣ-Ｉ」を生成する。【解決手段】本発明に係る移動通信方法は、ＲＲＣレイヤ機能が、所定の「ｓｈｏｒｔ  ＭＡＣ-Ｉ」を含む「ＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵを生成する工程と、ＰＤＣＰレイヤ機能が、所定アルゴリズムを用いて、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵから「ＭＡＣ-Ｉ」を生成する工程と、ＲＲＣレイヤ機能が、「ＭＡＣ-Ｉ」の所定ビットを切り出して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵにおける第２検証用情報に設定する工程とを有する。【選択図】図３
2010004503.tif 000002
【特許請求の範囲】
【請求項１】
移動局のＲＲＣレイヤ機能が、所定の第２検証用情報を含むＲＲＣ再接続要求用の仮ＲＲＣ-ＰＤＵを生成し、該移動局のＰＤＣＰレイヤ機能に送信する工程と、
前記ＰＤＣＰレイヤ機能が、所定アルゴリズムを用いて、受信した前記ＲＲＣ再接続要求用の仮ＲＲＣ-ＰＤＵから、第１検証用情報を生成し、前記ＲＲＣレイヤ機能に送信する工程と、
前記ＲＲＣレイヤ機能が、第１検証用情報の所定ビットを切り出して、前記ＲＲＣ再接続要求用の正ＲＲＣ-ＰＤＵにおける第２検証用情報に設定する工程と、
前記ＲＲＣレイヤ機能が、ＲＲＣコネクションにおける無線リンク障害を検出した場合、セル選択処理を行い、選択したセルに対して、共通制御チャネルを介して、前記第２検証用情報が設定されたＲＲＣ再接続要求用の正ＲＲＣ-ＰＤＵを送信する工程とを有することを特徴とする移動通信方法。
【請求項２】
前記ＲＲＣ再接続要求用の仮ＲＲＣ-ＰＤＵに、無線リンク障害が生じたセルのセルＩＤ及び前記無線リンク障害が生じたセルで前記移動局ＵＥが使用していたＣ-ＲＮＴＩを含めることを特徴とする請求項１に記載の移動通信方法。
【請求項３】
前記ＲＲＣ再接続要求用の仮ＲＲＣ-ＰＤＵに含まれる所定の第２検証用情報に、前記選択したセルのセルＩＤを含めることを特徴とする請求項１又は２に記載の移動通信方法。
【請求項４】
無線基地局のＲＲＣレイヤ機能が、所定の第２検証用情報を含むＲＲＣ再接続要求用の仮ＲＲＣ-ＰＤＵを生成し、該無線基地局のＰＤＣＰレイヤ機能に送信する工程と、
前記ＰＤＣＰレイヤ機能が、所定アルゴリズムを用いて、受信した前記ＲＲＣ再接続要求用の仮ＲＲＣ-ＰＤＵから、第１検証用情報を生成し、前記ＲＲＣレイヤ機能に送信する工程と、
前記ＲＲＣレイヤ機能が、第１検証用情報の所定ビットを切り出して、第２検証用情報とする工程と、
前記ＲＲＣレイヤ機能が、前記第２検証用情報を用いて、共通制御チャネルを介して移動局から受信したＲＲＣ再接続要求用の正ＲＲＣ-ＰＤＵについて検証する工程とを有することを特徴とする移動通信方法。
【請求項５】
前記移動局から受信したＲＲＣ再接続要求用の正ＲＲＣ-ＰＤＵから、セルＩＤ及びＣ-ＲＮＴＩを抽出し、前記ＲＲＣ再接続要求用の仮ＲＲＣ-ＰＤＵに、前記抽出したセルＩＤ及びＣ-ＲＮＴＩを含めることを特徴とする請求項４に記載の移動通信方法。
【請求項６】
前記ＲＲＣ再接続要求用の仮ＲＲＣ-ＰＤＵに含まれる所定の第２検証用情報に、周辺の無線基地局が管理するセルのセルＩＤを含めることを特徴とする請求項４又は５に記載の移動通信方法。
【請求項７】
前記ＲＲＣ再接続要求用の仮ＲＲＣ-ＰＤＵに含まれる所定の第２検証用情報に、前記移動局からのＲＲＣ再接続要求用の正ＲＲＣ-ＰＤＵを受信した前記無線基地局が管理するセルのセルＩＤを含めることを特徴とする請求項４又は５に記載の移動通信方法。
【請求項８】
ＲＲＣレイヤ機能及びＰＤＣＰレイヤ機能を具備する移動局であって、
ＲＲＣレイヤ機能は、所定の第２検証用情報を含むＲＲＣ再接続要求用の仮ＲＲＣ-ＰＤＵを生成し、ＰＤＣＰレイヤ機能に送信するように構成されており、
前記ＰＤＣＰレイヤ機能は、所定アルゴリズムを用いて、受信した前記ＲＲＣ再接続要求用の仮ＲＲＣ-ＰＤＵから、第１検証用情報を生成し、前記ＲＲＣレイヤ機能に送信するように構成されており、
前記ＲＲＣレイヤ機能は、第１検証用情報の所定ビットを切り出して、前記ＲＲＣ再接続要求用の正ＲＲＣ-ＰＤＵにおける第２検証用情報に設定するように構成されており、
前記ＲＲＣレイヤ機能は、ＲＲＣコネクションにおける無線リンク障害を検出した場合、セル選択処理を行い、選択したセルに対して、共通制御チャネルを介して、前記第２検証用情報が設定されたＲＲＣ再接続要求用の正ＲＲＣ-ＰＤＵを送信するように構成されていることを特徴とする移動局。
【請求項９】
前記ＲＲＣ再接続要求用の仮ＲＲＣ-ＰＤＵに、無線リンク障害が生じたセルのセルＩＤ及び前記無線リンク障害が生じたセルで前記移動局ＵＥが使用していたＣ-ＲＮＴＩを含めるように構成されていることを特徴とする請求項８に記載の移動局。
【請求項１０】
前記ＲＲＣ再接続要求用の仮ＲＲＣ-ＰＤＵに含まれる所定の第２検証用情報に、前記選択したセルのセルＩＤを含めるように構成されていることを特徴とする請求項８又は９に記載の移動局。
【請求項１１】
ＲＲＣレイヤ機能及びＰＤＣＰレイヤ機能を具備する無線基地局であって、
前記ＲＲＣレイヤ機能は、所定の第２検証用情報を含むＲＲＣ再接続要求用の仮ＲＲＣ-ＰＤＵを生成し、該無線基地局のＰＤＣＰレイヤ機能に送信するように構成されており、
前記ＰＤＣＰレイヤ機能は、所定アルゴリズムを用いて、受信した前記ＲＲＣ再接続要求用の仮ＲＲＣ-ＰＤＵから、第１検証用情報を生成し、前記ＲＲＣレイヤ機能に送信するように構成されており、
前記ＲＲＣレイヤ機能は、第１検証用情報の所定ビットを切り出して、第２検証用情報とするように構成されており、
前記ＲＲＣレイヤ機能は、前記第２検証用情報を用いて、共通制御チャネルを介して移動局から受信したＲＲＣ再接続要求用の正ＲＲＣ-ＰＤＵについて検証するように構成されていることを特徴とする無線基地局。
【請求項１２】
前記移動局から受信したＲＲＣ再接続要求用の正ＲＲＣ-ＰＤＵから、セルＩＤ及びＣ-ＲＮＴＩを抽出し、前記ＲＲＣ再接続要求用の仮ＲＲＣ-ＰＤＵに、前記抽出したセルＩＤ及びＣ-ＲＮＴＩを含めるように構成されていることを特徴とする請求項１１に記載の無線基地局。
【請求項１３】
前記ＲＲＣ再接続要求用の仮ＲＲＣ-ＰＤＵに含まれる所定の第２検証用情報に、周辺の無線基地局が管理するセルのセルＩＤを含めるように構成されていることを特徴とする請求項１１又は１２に記載の無線基地局。
【請求項１４】
前記ＲＲＣ再接続要求用の仮ＲＲＣ-ＰＤＵに含まれる所定の第２検証用情報に、前記移動局からのＲＲＣ再接続要求用の正ＲＲＣ-ＰＤＵを受信した、前記無線基地局が管理するセルのセルＩＤを含めるように構成されていることを特徴とする請求項１１又は１２に記載の無線基地局。
【請求項１５】
ハンドオーバ準備信号によって、周辺の無線基地局に対して、前記第２検証用情報を通知するように構成されていることを特徴とする請求項１１乃至１３のいずれか一項に記載の無線基地局。
【発明の詳細な説明】
【技術分野】
【０００１】
本発明は、移動通信方法、移動局及び無線基地局に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、移動局ＵＥが、ＲＲＣコネクションにおける「無線リンク障害（ＲＬＦ：Ｒａｄｉｏ  Ｌｉｎｋ  Ｆａｉｌｕｒｅ）」を検出した場合、セル選択（Ｃｅｌｌ  Ｓｅｌｅｃｔｉｏｎ）処理を行い、選択したセルに対して、共通制御チャネル（ＣＣＣＨ）を介して、「ＲＲＣ再接続要求（ＲＲＣ  Ｃｏｎｎｅｃｔｉｏｎ  Ｒｅ-ｅｓｔａｂｌｉｓｈｍｅｎｔ  Ｒｅｑｕｅｓｔ）」を送信することによって、再接続手順を行うように構成されている。
【０００３】
ここで、移動局ＵＥは、セル選択処理において、一定の伝搬レベルを満たし、当該移動局ＵＥがアクセス権を有するセルを選択するように構成されている。
【非特許文献１】３ＧＰＰ  ＴＳ３６．３３１  ｖ８．１．０
【非特許文献２】３ＧＰＰ  ＴＳ３６．３２３  ｖ８．１．０
【非特許文献３】３ＧＰＰ  ＴＳ３３．４０１  ｖ８．０．０
【発明の開示】
【発明が解決しようとする課題】
【０００４】
かかる再接続手順において、選択されたセルを管理する無線基地局ｅＮＢは、以下のような問題点を回避するために、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「第２検証用情報（ｓｈｏｒｔ  ＭＡＣ-Ｉ）」に基づいて、当該「ＲＲＣ  Ｃｏｎｎｅｃｔｉｏｎ  Ｒｅ-ｅｓｔａｂｌｉｓｈｍｅｎｔ  Ｒｅｑｕｅｓｔ」の正当性を確認するように構成されている。
【０００５】
・  他のセルにおいてＲＬＦを検出した移動局ＵＥが、当該選択されたセルに対して、同一のＣ-ＲＮＴＩ（Ｃｅｌｌ-Ｒａｄｉｏ  Ｎｅｔｗｏｒｋ  Ｔｅｍｐｏｒａｒｙ  Ｉｄｅｎｔｉｆｉｅｒ）及び同一のＰＣＩ（Ｐｈｙｓｉｃａｌ  Ｃｅｌｌ  ＩＤ）を含む「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信した場合に、無線基地局ｅＮＢは、かかる「ＲＲＣ  Ｃｏｎｎｅｃｔｉｏｎ  Ｒｅ-ｅｓｔａｂｌｉｓｈｍｅｎｔ  Ｒｅｑｕｅｓｔ」を区別することができない。
【０００６】
・  悪意のあるユーザの移動局ＵＥが、適当にＣ-ＲＮＴＩ及びＰＣＩを設定した「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信した場合に、無線基地局ｅＮＢは、かかる「ＲＲＣ  Ｃｏｎｎｅｃｔｉｏｎ  Ｒｅ-ｅｓｔａｂｌｉｓｈｍｅｎｔ  Ｒｅｑｕｅｓｔ」を区別することができない。
【０００７】
かかる「ｓｈｏｒｔ  ＭＡＣ-Ｉ」は、「ＲＲＣ  Ｃｏｎｎｅｃｔｉｏｎ  Ｒｅ-ｅｓｔａｂｌｉｓｈｍｅｎｔ  Ｒｅｑｕｅｓｔ」の信憑性を確認するために用いることができる。すなわち、「ＲＲＣ  Ｃｏｎｎｅｃｔｉｏｎ  Ｒｅ-ｅｓｔａｂｌｉｓｈｍｅｎｔ  Ｒｅｑｕｅｓｔ」の改竄チェックを行うためのチェックサムとすることができる。
【０００８】
ＬＴＥ方式の移動通信システムでは、個別制御チャネル（ＤＣＣＨ）のＲＲＣメッセージの改竄チェックは、ＰＤＣＰレイヤ機能によって提供される。すなわち、ＲＲＣメッセージに対するチェックサム（ＭＡＣ-Ｉ）をＰＤＣＰレイヤにて生成し、ＰＤＣＰヘッダに付与して送信するように構成されている。
【０００９】
また、ＬＴＥ方式の移動通信システムでは、「ＲＲＣ  Ｃｏｎｎｅｃｔｉｏｎ  Ｒｅ-ｅｓｔａｂｌｉｓｈｍｅｎｔ  Ｒｅｑｕｅｓｔ」は、共通制御チャネル（ＣＣＣＨ）を介して送信されるように構成されている。
【００１０】
さらに、ＬＴＥ方式の移動通信システムでは、共通制御チャネル（ＣＣＣＨ）用のＰＤＣＰレイヤ機能は存在しない。
【００１１】
これらのことを考慮すると、現状のＬＴＥ方式の仕様では、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｓｈｏｒｔ  ＭＡＣ-Ｉ」を生成することができないことが分かる。
【００１２】
そこで、本発明は、上述の課題に鑑みてなされたものであり、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｓｈｏｒｔ  ＭＡＣ-Ｉ」を生成することが可能な移動通信方法、移動局及び無線基地局を提供することを目的とする。
【課題を解決するための手段】
【００１３】
本発明の第１の特徴は、移動通信方法であって、移動局のＲＲＣレイヤ機能が、所定の第２検証用情報を含むＲＲＣ再接続要求用の仮ＲＲＣ-ＰＤＵを生成し、該移動局のＰＤＣＰレイヤ機能に送信する工程と、前記ＰＤＣＰレイヤ機能が、所定アルゴリズムを用いて、受信した前記ＲＲＣ再接続要求用の仮ＲＲＣ-ＰＤＵから、第１検証用情報を生成し、前記ＲＲＣレイヤ機能に送信する工程と、前記ＲＲＣレイヤ機能が、第１検証用情報の所定ビットを切り出して、前記ＲＲＣ再接続要求用の正ＲＲＣ-ＰＤＵにおける第２検証用情報に設定する工程と、前記ＲＲＣレイヤ機能が、ＲＲＣコネクションにおける無線リンク障害を検出した場合、セル選択処理を行い、選択したセルに対して、共通制御チャネルを介して、前記第２検証用情報が設定されたＲＲＣ再接続要求用の正ＲＲＣ-ＰＤＵを送信する工程とを有することを要旨とする。
【００１４】
本発明の第１の特徴において、前記ＲＲＣ再接続要求用の仮ＲＲＣ-ＰＤＵに、無線リンク障害が生じたセルのセルＩＤ及び前記無線リンク障害が生じたセルで前記移動局ＵＥが使用していたＣ-ＲＮＴＩを含めてもよい。
【００１５】
本発明の第１の特徴において、前記ＲＲＣ再接続要求用の仮ＲＲＣ-ＰＤＵに含まれる所定の第２検証用情報に、前記選択したセルのセルＩＤを含めてもよい。
【００１６】
本発明の第２の特徴は、移動通信方法であって、無線基地局のＲＲＣレイヤ機能が、所定の第２検証用情報を含むＲＲＣ再接続要求用の仮ＲＲＣ-ＰＤＵを生成し、該無線基地局のＰＤＣＰレイヤ機能に送信する工程と、前記ＰＤＣＰレイヤ機能が、所定アルゴリズムを用いて、受信した前記ＲＲＣ再接続要求用の仮ＲＲＣ-ＰＤＵから、第１検証用情報を生成し、前記ＲＲＣレイヤ機能に送信する工程と、前記ＲＲＣレイヤ機能が、第１検証用情報の所定ビットを切り出して、前記ＲＲＣ再接続要求用の正ＲＲＣ-ＰＤＵにおける第２検証用情報とする工程と、前記ＲＲＣレイヤ機能が、前記第２検証用情報を用いて、共通制御チャネルを介して移動局から受信したＲＲＣ再接続要求用の正ＲＲＣ-ＰＤＵについて検証する工程とを有することを要旨とする。
【００１７】
本発明の第２の特徴において、前記移動局から受信したＲＲＣ再接続要求用の正ＲＲＣ-ＰＤＵから、セルＩＤ及びＣ-ＲＮＴＩを抽出し、前記ＲＲＣ再接続要求用の仮ＲＲＣ-ＰＤＵに、前記抽出したセルＩＤ及びＣ-ＲＮＴＩを含めてもよい。
【００１８】
本発明の第２の特徴において、前記ＲＲＣ再接続要求用の仮ＲＲＣ-ＰＤＵに含まれる所定の第２検証用情報に、周辺の無線基地局が管理するセルのセルＩＤを含めてもよい。
【００１９】
本発明の第２の特徴において、前記ＲＲＣ再接続要求用の仮ＲＲＣ-ＰＤＵに含まれる所定の第２検証用情報に、前記移動局からのＲＲＣ再接続要求用の正ＲＲＣ-ＰＤＵを受信した前記無線基地局が管理するセルのセルＩＤを含めてもよい。
【００２０】
本発明の第３の特徴は、ＲＲＣレイヤ機能及びＰＤＣＰレイヤ機能を具備する移動局であって、ＲＲＣレイヤ機能は、所定の第２検証用情報を含むＲＲＣ再接続要求用の仮ＲＲＣ-ＰＤＵを生成し、ＰＤＣＰレイヤ機能に送信するように構成されており、前記ＰＤＣＰレイヤ機能は、所定アルゴリズムを用いて、受信した前記ＲＲＣ再接続要求用の仮ＲＲＣ-ＰＤＵから、第１検証用情報を生成し、前記ＲＲＣレイヤ機能に送信するように構成されており、前記ＲＲＣレイヤ機能は、第１検証用情報の所定ビットを切り出して、前記ＲＲＣ再接続要求用の正ＲＲＣ-ＰＤＵにおける第２検証用情報に設定するように構成されており、前記ＲＲＣレイヤ機能は、ＲＲＣコネクションにおける無線リンク障害を検出した場合、セル選択処理を行い、選択したセルに対して、共通制御チャネルを介して、前記第２検証用情報が設定されたＲＲＣ再接続要求用の正ＲＲＣ-ＰＤＵを送信するように構成されていることを要旨とする。
【００２１】
本発明の第３の特徴において、前記ＲＲＣ再接続要求用の仮ＲＲＣ-ＰＤＵに、無線リンク障害が生じたセルのセルＩＤ及び前記無線リンク障害が生じたセルで前記移動局ＵＥが使用していたＣ-ＲＮＴＩを含めるように構成されていてもよい。
【００２２】
本発明の第３の特徴において、前記ＲＲＣ再接続要求用の仮ＲＲＣ-ＰＤＵに含まれる所定の第２検証用情報に、前記選択したセルのセルＩＤを含めるように構成されていてもよい。
【００２３】
本発明の第４の特徴は、ＲＲＣレイヤ機能及びＰＤＣＰレイヤ機能を具備する無線基地局であって、前記ＲＲＣレイヤ機能は、所定の第２検証用情報を含むＲＲＣ再接続要求用の仮ＲＲＣ-ＰＤＵを生成し、該無線基地局のＰＤＣＰレイヤ機能に送信するように構成されており、前記ＰＤＣＰレイヤ機能は、所定アルゴリズムを用いて、受信した前記ＲＲＣ再接続要求用の仮ＲＲＣ-ＰＤＵから、第１検証用情報を生成し、前記ＲＲＣレイヤ機能に送信するように構成されており、前記ＲＲＣレイヤ機能は、第１検証用情報の所定ビットを切り出して、第２検証用情報とするように構成されており、前記ＲＲＣレイヤ機能は、前記第２検証用情報を用いて、共通制御チャネルを介して移動局から受信したＲＲＣ再接続要求用の正ＲＲＣ-ＰＤＵについて検証するように構成されていることを要旨とする。
【００２４】
本発明の第４の特徴において、前記移動局から受信したＲＲＣ再接続要求用の正ＲＲＣ-ＰＤＵから、セルＩＤ及びＣ-ＲＮＴＩを抽出し、前記ＲＲＣ再接続要求用の仮ＲＲＣ-ＰＤＵに、前記抽出したセルＩＤ及びＣ-ＲＮＴＩを含めるように構成されていてもよい。
【００２５】
本発明の第４の特徴において、前記ＲＲＣ再接続要求用の仮ＲＲＣ-ＰＤＵに含まれる所定の第２検証用情報に、周辺の無線基地局が管理するセルのセルＩＤを含めるように構成されていてもよい。
【００２６】
本発明の第４の特徴において、前記ＲＲＣ再接続要求用の仮ＲＲＣ-ＰＤＵに含まれる所定の第２検証用情報に、前記移動局からのＲＲＣ再接続要求用の正ＲＲＣ-ＰＤＵを受信した、前記無線基地局が管理するセルのセルＩＤを含めるように構成されていてもよい。
【００２７】
本発明の第４の特徴において、ハンドオーバ準備信号によって、周辺の無線基地局に対して、前記第２検証用情報を通知するように構成されていてもよい。
【発明の効果】
【００２８】
以上説明したように、本発明によれば、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｓｈｏｒｔ  ＭＡＣ-Ｉ」を生成することが可能な移動通信方法、移動局及び無線基地局を提供することができる。
【発明を実施するための最良の形態】
【００２９】
（本発明の第１の実施形態に係る移動通信システム）
図１乃至図６を参照して、本発明の第１の実施形態に係る移動通信システムについて説明する。本実施形態に係る移動通信システムには、ＬＴＥ方式が適用されているものとする。
【００３０】
図１に示すように、本実施形態に係る移動通信システムは、交換局ＭＭＥと、複数の無線基地局ｅＮＢ＃１乃至ｅＮＢ＃ｎとを具備している。
【００３１】
図２に、本実施形態に係る移動局ｅＮＢと無線基地局ｅＮＢとの間のプロトコルスタックを示す。
【００３２】
すなわち、本実施形態に係る移動局ｅＮＢ及び無線基地局ｅＮＢは、それぞれ、ＲＲＣレイヤ機能と、ＰＤＣＰレイヤ機能と、ＲＬＣレイヤ機能と、ＭＡＣレイヤ機能と、物理レイヤ機能とを具備している。
【００３３】
また、ＬＴＥ方式の移動通信システムでは、「ＳＲＢ：Ｓｉｇｎａｌｌｉｎｇ  Ｒａｄｉｏ  Ｂｅａｒｅｒ」と呼ばれる３種類（ＳＲＢ０、ＳＲＢ１、ＳＲＢ２）のＣプレーン用の無線ベアラが規定されている。
【００３４】
「ＳＲＢ０」は、共通制御チャネル（ＣＣＣＨ）用の無線ベアラであり、上りリンクでは、「ＲＲＣ  Ｃｏｎｎｅｃｔｉｏｎ  Ｅｓｔａｂｌｉｓｈｍｅｎｔ  Ｒｅｑｕｅｓｔ（ＲＲＣコネクション設定要求）」及び「ＲＲＣ  Ｃｏｎｎｅｃｔｉｏｎ  Ｒｅ-ｅｓｔａｂｌｉｓｈｍｅｎｔ  Ｒｅｑｕｅｓｔ（ＲＲＣ再接続要求）」の送信に用いられ、下りリンクでは、「ＲＲＣ  Ｃｏｎｎｅｃｔｉｏｎ  Ｅｓｔａｂｌｉｓｈｍｅｎｔ」、「ＲＲＣ  Ｃｏｎｎｅｃｔｉｏｎ  Ｒｅｊｅｃｔ」、「ＲＲＣ  Ｃｏｎｎｅｃｔｉｏｎ  Ｒｅ-ｅｓｔａｂｌｉｓｈｍｅｎｔ」及び「ＲＲＣ  Ｃｏｎｎｅｃｔｉｏｎ  Ｒｅ-ｅｓｔａｂｌｉｓｈｍｅｎｔ  Ｒｅｊｅｃｔ」の送信に用いられる。
【００３５】
一般的に、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる情報要素としては、「Ｃ-ＲＮＴＩ」と「ＰＣＩ」と「ｓｈｏｒｔ  ＭＡＣ-Ｉ」とが規定されている。
【００３６】
ここで、「Ｃ-ＲＮＴＩ」は、１６ビットで構成されており、ＲＬＦが検出される直前に、移動局ＵＥによってサービングセルで使用されていた「ＵＥ-ＩＤ」であると規定されている。また、「ＰＣＩ」は、９ビットで構成されており、ＲＬＦが検出される直前に、移動局ＵＥが接続していたサービングセルのＩＤであると規定されている。また、「ｓｈｏｒｔ  ＭＡＣ-Ｉ」は、１５ビット又は１６ビットで構成されることが想定されている。
【００３７】
すなわち、「ＳＲＢ０」は、送受信者が一意に特定できない状況でのメッセージの送信に使われる。
【００３８】
また、「ＳＲＢ０」は、共通制御チャネル（ＣＣＣＨ）用の無線ベアラであるため、ＰＤＣＰレイヤが存在しない。したがって、「ＳＲＢ０」に対しては、「Ｉｎｔｅｇｒｉｔｙ  Ｐｒｏｔｅｃｔｉｏｎ」機能や「Ｃｉｐｈｅｒｉｎｇ」機能を適用することができない。
【００３９】
また、「ＳＲＢ１」は、個別制御チャネル（ＤＣＣＨ）用の無線ベアラであり、「ＳＲＢ０」で送信されない全てのＲＲＣメッセージ（ＲＲＣメッセージに連結されるＮＡＳメッセージを含む）の送信に用いられる。
【００４０】
なお、「ＳＲＢ１」に対しては、「Ｉｎｔｅｇｒｉｔｙ  Ｐｒｏｔｅｃｔｉｏｎ」機能や「Ｃｉｐｈｅｒｉｎｇ」機能を適用することができる。
【００４１】
また、「ＳＲＢ２」は、個別制御チャネル（ＤＣＣＨ）用の無線ベアラであり、「ＮＡＳ  Ｄｉｒｅｃｔ  Ｔｒａｎｓｆｅｒ」に適用される。
【００４２】
「ＳＲＢ２」は、「ＳＲＢ１」よりも優先度が低く、「ＳＲＢ２」に対しては、「Ｉｎｔｅｇｒｉｔｙ  Ｐｒｏｔｅｃｔｉｏｎ」機能や「Ｃｉｐｈｅｒｉｎｇ」機能を適用することができる。
【００４３】
また、ＬＴＥ方式の移動通信システムでは、「ＤＲＢ：Ｄａｔａ  Ｒａｄｉｏ  Ｂｅａｒｅｒ」と呼ばれるＵプレーン用の無線ベアラが規定されている。
【００４４】
「ＤＲＢ」は、個別トラフィックチャネル（ＤＴＣＨ）用の無線ベアラであり、通信サービスに応じて必要な本数が張られる。なお、「ＤＲＢ」には、ＰＤＣＰレイヤが存在するため、「ＤＲＢ」に対しては、ＰＤＣＰレイヤにおいて、「Ｃｉｐｈｅｒｉｎｇ」機能を適用することができる。
【００４５】
以下、図３を参照して、移動局ＵＥ及び無線基地局ｅＮＢにおいて「ｓｈｏｒｔ  ＭＡＣ-Ｉ（第２検証用情報）」を生成する動作について説明する。
【００４６】
図３に示すように、ステップＳ１００１において、ＲＲＣレイヤ機能が、所定の「ｓｈｏｒｔ  ＭＡＣ-Ｉ」を含む「ＲＲＣ  Ｃｏｎｎｅｃｔｉｏｎ  Ｒｅ-ｅｓｔａｂｌｉｓｈｍｅｎｔ  Ｒｅｑｕｅｓｔ（ＲＲＣ再接続要求）」用のＲＲＣ-ＰＤＵを生成する。
【００４７】
例えば、ＲＲＣレイヤ機能は、全て「０」の値を有する「ｓｈｏｒｔ  ＭＡＣ-Ｉ」を、所定の「ｓｈｏｒｔ  ＭＡＣ-Ｉ」としてもよい。
【００４８】
また、ＲＲＣレイヤ機能は、かかる「ＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵにおいて、移動局ＵＥ及び無線基地局ｅＮＢの両者で既知の「Ｃ-ＲＮＴＩ」及び「ＰＣＩ」を設定するように構成されている。
【００４９】
例えば、ＲＲＣレイヤ機能は、かかる「ＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵにおいて、「Ｃ-ＲＮＴＩ」及び「ＰＣＩ」として、移動局ＵＥが現在使用している値を設定してもよい。
【００５０】
また、ＲＲＣレイヤ機能は、かかる「ＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵにおいて、「ｓｈｏｒｔ  ＭＡＣ-Ｉ」における所定数の上位ビット又は下位ビットを、ターゲットセルの「ＰＣＩ」に設定し、残りを「０」でパディングしてもよい。
【００５１】
かかるターゲットセルの「ＰＣＩ」は、移動局ＵＥの場合、ＲＬＦ検出後にセル選択により選択したセル（すなわち、実際に、移動局ＵＥが「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する対象のセル）の「ＰＣＩ」とすることができる。
【００５２】
一方、かかるターゲットセルの「ＰＣＩ」は、無線基地局ｅＮＢの場合、「ＨＯ  ｐｒｅｐａｒａｔｉｏｎ」を行う対象のセル（すなわち、移動局ＵＥからの「ＲＲＣ  Ｃｏｎｎｅｃｔｉｏｎ  Ｒｅ-ｅｓｔａｂｌｉｓｈｍｅｎｔ  Ｒｅｑｕｅｓｔ」を受信する可能性がある対象のセル）の「ＰＣＩ」とすることができる。
【００５３】
ステップＳ１００２において、ＲＲＣレイヤ機能は、生成した「ＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵを、ＰＤＣＰレイヤ機能に送信する。
【００５４】
ステップＳ１００３において、ＰＤＣＰレイヤ機能は、所定アルゴリズム（例えば、現在使用中の「Ｉｎｔｅｇｒｉｔｙ  Ｐｒｏｔｅｃｔｉｏｎ」用アルゴリズム）を用いて、受信したＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵから、「ＭＡＣ-Ｉ（第１検証用情報）」を生成する。
【００５５】
具体的には、ＰＤＣＰレイヤ機能は、第１鍵ＫＲＲＣ_ＩＰと、３つのパラメータ「ＣＯＵＮＴ（３２ビット）」、「ベアラＩＤ（８ビット）」及び「ｄｉｒｅｃｔｉｏｎ（ＤＬ/ＵＬ）」を、現在使用中の「Ｉｎｔｅｇｒｉｔｙ  Ｐｒｏｔｅｃｔｉｏｎ」用アルゴリズムに入力することによって、「ＭＡＣ-Ｉ」を算出する。
【００５６】
ここで、第１鍵ＫＲＲＣ_ＩＰは、インクリメントされた後の親鍵ＫｅＮＢ［ｎ＋１］を用いて算出される。
【００５７】
親鍵ＫｅＮＢは、ハンドオーバ時に現在の親鍵ＫｅＮＢ[ｎ]からハンドオーバ後に用いる次の親鍵ＫｅＮＢ［ｎ＋１］に更新される。「ｓｈｏｒｔ  ＭＡＣ-Ｉ」の算出に用いる第１鍵ＫＲＲＣ_ＩＰは、次のハンドオーバ後に用いるインクリメントされた後の親鍵ＫｅＮＢ［ｎ＋１］を用いることができる。
【００５８】
また、ＰＤＣＰレイヤ機能は、「ベアラＩＤ」として、「ＳＲＢ１」又は「ＳＲＢ０」用の「ベアラＩＤ」を用いる。なお、「ＳＲＢ０」は、共通制御チャネル（ＣＣＣＨ）用の無線ベアラであるため、本来、「ベアラＩＤ」は存在しないが、上述の用途のために、「ＳＲＢ０」に対しても「ベアラＩＤ」が規定されるものとする。
【００５９】
ＰＤＣＰレイヤ機能は、セキュリティ上、同一の親鍵ＫｅＮＢ及び同一のパラメータ（特に、「ＣＯＵＮＴ」）を用いて、複数のＲＲＣ-ＰＤＵに対してセキュリティをかけることは避ける必要がある。この点で、ＰＤＣＰレイヤ機能は、「ベアラＩＤ」として「ＳＲＢ０」用の「ベアラＩＤ」を用いる方が複雑性を回避できる。ＰＤＣＰレイヤ機能は、「ベアラＩＤ」として「ＳＲＢ１」用の「ベアラＩＤ」を用いると、本来の「ＳＲＢ１」のＲＲＣ-ＰＤＵで「ＣＯＵＮＴ＝０」を使えなくなる等の面倒が生じる。
【００６０】
また、ＰＤＣＰレイヤ機能は、「ＣＯＵＮＴ」を「０」とする。ただし、ＰＤＣＰレイヤ機能は、かかる「ＭＡＣ-Ｉ」の算出操作によって、「ＣＯＵＮＴ」をインクリメントしなくてもよい。
【００６１】
「ＣＯＵＮＴ」は、は上位ビットを表す「ＨＦＮ」と、下位ビットを表す「ＳＮ」とに分割されて表現される場合もある。
【００６２】
ＰＤＣＰレイヤ機能は、実際のヘッダに対して「ＳＮ」の部分のみを挿入し、「ＨＦＮ」の部分については管理するのみとする。
【００６３】
また、ＰＤＣＰレイヤ機能は、「ｄｉｒｅｃｔｉｏｎ」を「ＵＬ」とする。
【００６４】
ステップＳ１００４において、ＰＤＣＰレイヤ機能は、生成した「ＭＡＣ-Ｉ」を、ＲＲＣレイヤ機能に送信する。
【００６５】
ステップＳ１００５において、ＲＲＣレイヤ機能は、受信した「ＭＡＣ-Ｉ」の所定ビット（例えば、ＬＳＢの１６ビットや、ＭＳＢの１６ビット等）を切り出して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵにおける「ｓｈｏｒｔ  ＭＡＣ-Ｉ」に設定する。
【００６６】
次に、図４乃至図６を参照して、本実施形態に係る移動通信システムにおける再接続手順について説明する。
【００６７】
第１に、図４を参照して、かかる再接続手順が成功する場合の例について説明する。
【００６８】
図４に示すように、移動局ＵＥと無線基地局ｅＮＢとの間でＲＲＣコネクションが確立されており、無線基地局ｅＮＢと交換局ＭＭＥとの間でＳ１コネクションが確立されている状態で、移動局ＵＥ及び無線基地局ｅＮＢは、ステップＳ２００１及びＳ２００２において、図３に示す動作によって、「ｓｈｏｒｔ  ＭＡＣ-Ｉ」を計算する。
【００６９】
移動局ＵＥ及び無線基地局ｅＮＢは、ハンドオーバ手順の完了時や、再接続手順の完了時や、ＲＬＦの検出時等に、「ｓｈｏｒｔ  ＭＡＣ-Ｉ」を計算してもよい。
【００７０】
ステップＳ２００３において、移動局ＵＥが、上述のＲＲＣコネクションにおいて、ＲＬＦを検出する。例えば、移動局ＵＥは、以下の場合に、ＲＬＦを検出するものとする。
・  ＲＲＣコネクションにおけるＲＳＲＰ（Ｒｅｆｅｒｅｎｃｅ  Ｓｉｇｎａｌ  Ｒｅｃｅｉｖｅｄ  Ｐｏｗｅｒ）が、所定期間、所定閾値を下回った場合
・  ランダムアクセス手順が成功しない場合
・  ハンドオーバ手順が失敗した場合
【００７１】
その後、移動局ＵＥは、ステップＳ２００４において、セル選択処理を行い、ステップＳ２００５において、選択したセル（或いは、選択したセルを管理する無線基地局ｅＮＢ）に対して、共通制御チャネルを介して、上述の「Ｃ-ＲＮＴＩ」と「ＰＣＩ」と「ｓｈｏｒｔ  ＭＡＣ-Ｉ」とを含む「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【００７２】
ステップＳ２００６において、無線基地局ｅＮＢは、移動局ＵＥのサービングセルを管理しており、当該移動局ＵＥの「ＵＥコンテキスト（ｓｈｏｒｔ  ＭＡＣ-Ｉ）」を事前に保持しているため、かかる「ｓｈｏｒｔ  ＭＡＣ-Ｉ」と、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｓｈｏｒｔ  ＭＡＣ-Ｉ」とを比較することによって、当該「ＲＲＣ  Ｃｏｎｎｅｃｔｉｏｎ  Ｒｅ-ｅｓｔａｂｌｉｓｈｍｅｎｔ  Ｒｅｑｕｅｓｔ」の正当性を確認する。
【００７３】
図４の例では、当該「ＲＲＣ  Ｃｏｎｎｅｃｔｉｏｎ  Ｒｅ-ｅｓｔａｂｌｉｓｈｍｅｎｔ  Ｒｅｑｕｅｓｔ」の正当性が確認できたため、ステップＳ２００７において、無線基地局ｅＮＢは、移動局ＵＥに対して、「ＲＲＣ  Ｃｏｎｎｅｃｔｉｏｎ  Ｒｅ-ｅｓｔａｂｌｉｓｈｍｅｎｔ」を送信する。
【００７４】
ステップＳ２００８において、移動局ＵＥは、無線基地局ｅＮＢに対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ」を送信する。
【００７５】
ステップＳ２００９において、無線基地局ｅＮＢは、移動局ＵＥに対して、「ＲＲＣ  Ｃｏｎｎｅｃｔｉｏｎ  Ｒｅｃｏｎｆｉｇｕｒａｔｉｏｎ」を送信し、ステップＳ２０１０において、移動局ＵＥは、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００７６】
第２に、図５を参照して、かかる再接続手順が失敗する場合の例について説明する。
【００７７】
図５に示すように、移動局ＵＥと無線基地局ｅＮＢ＃１との間でＲＲＣコネクションが確立されており、無線基地局ｅＮＢ＃１と交換局ＭＭＥとの間でＳ１コネクションが確立されている状態で、移動局ＵＥ及び無線基地局ｅＮＢ＃１は、ステップＳ３００１及びＳ３００２において、図３に示す動作によって、「ｓｈｏｒｔ  ＭＡＣ-Ｉ」を計算する。
【００７８】
ステップＳ３００３において、移動局ＵＥが、上述のＲＲＣコネクションにおいて、ＲＬＦを検出する。
【００７９】
その後、移動局ＵＥは、ステップＳ３００４において、セル選択処理を行い、ステップＳ３００５において、選択したセル（或いは、選択したセルを管理する無線基地局ｅＮＢ＃２）に対して、共通制御チャネルを介して、上述の「Ｃ-ＲＮＴＩ」と「ＰＣＩ」と「ｓｈｏｒｔ  ＭＡＣ-Ｉ」とを含む「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【００８０】
ステップＳ３００６において、無線基地局ｅＮＢ＃２は、移動局ＵＥのサービングセルを管理しておらず、当該移動局ＵＥの「ＵＥコンテキスト（ｓｈｏｒｔ  ＭＡＣ-Ｉ）」を事前に保持していないため、当該「ＲＲＣ  Ｃｏｎｎｅｃｔｉｏｎ  Ｒｅ-ｅｓｔａｂｌｉｓｈｍｅｎｔ  Ｒｅｑｕｅｓｔ」の正当性を確認することができない。
【００８１】
そのため、ステップＳ３００７において、無線基地局ｅＮＢ＃２は、移動局ＵＥに対して、「ＲＲＣ  Ｃｏｎｎｅｃｔｉｏｎ  Ｒｅ-ｅｓｔａｂｌｉｓｈｍｅｎｔ  Ｒｅｊｅｃｔ」を送信する。
【００８２】
ステップＳ３００８において、移動局ＵＥと無線基地局ｅＮＢ＃１との間のＲＲＣコネクションが解放されてアイドル状態に遷移する。
【００８３】
上述の通り、再接続手順が成功するためには、移動局ＵＥによって選択されたセルを管理する無線基地局ｅＮＢが、当該移動局ＵＥ「ＵＥコンテキスト」を事前に保持している必要がある。
【００８４】
ここで、移動局ＵＥによって選択されたセルが、当該移動局ＵＥの元々のサービングセルであれば、当該移動局ＵＥの「ＵＥコンテキスト」を保持しているため、再接続手順が成功する（図４参照）。
【００８５】
一方、移動局ＵＥによって選択されたセルが、当該移動局ＵＥの元々のサービングセル以外である場合であっても、再接続手順を成功させるためには、当該セルを管理する無線基地局ｅＮＢに、予め当該移動局ＵＥの「ＵＥコンテキスト」を準備しておく必要がある。
【００８６】
かかる「ＵＥコンテキスト」の準備は、「ＨＯ  Ｐｒｅｐａｒａｔｉｏｎ手順」によって行うことができる。
【００８７】
ハンドオーバ手順においては、ハンドオーバ元無線基地局Ｓ-ｅＮＢは、ハンドオーバ先無線基地局Ｔ-ｅＮＢに対して、「ＨＯ  Ｐｒｅｐａｒａｔｉｏｎ」によって、当該移動局ＵＥの「ＵＥコンテキスト」を転送することができる。
【００８８】
また、実際に、ハンドオーバ手順を行うことを意図しない場合であっても、ＲＬＦの検出に備えて、ハンドオーバ元無線基地局Ｓ-ｅＮＢは、１つ又は複数の周辺の無線基地局に対して、何時でも、当該移動局ＵＥの「ＵＥコンテキスト」を含む「ＨＯ  Ｐｒｅｐａｒａｔｉｏｎ」を送信することができる。
【００８９】
第３に、図６を参照して、かかる場合の本実施形態に係る移動通信システムの動作について説明する。
【００９０】
図６に示すように、移動局ＵＥと無線基地局ｅＮＢ＃１との間でＲＲＣコネクションが確立されており、無線基地局ｅＮＢ＃１と交換局ＭＭＥとの間でＳ１コネクションが確立されている状態で、移動局ＵＥ及び無線基地局ｅＮＢ＃１は、ステップＳ４００１及びＳ４００２において、図３に示す動作によって、「ｓｈｏｒｔ  ＭＡＣ-Ｉ」を計算する。
【００９１】
ここで、ステップＳ４００３において、無線基地局ｅＮＢ＃１は、周辺の無線基地局ｅＮＢ＃２に対して、当該移動局ＵＥの「ＵＥコンテキスト（ｓｈｏｒｔ  ＭＡＣ-Ｉ）」を含む「ＨＯ  Ｐｒｅｐａｒａｔｉｏｎ」を送信する。
【００９２】
ステップＳ４００４において、無線基地局ｅＮＢ＃２は、当該移動局ＵＥの「ＵＥコンテキスト（ｓｈｏｒｔ  ＭＡＣ-Ｉ）」を保持した後、その旨を示す「ＨＯ  Ｐｒｅｐａｒａｔｉｏｎ  Ａｃｋ」を、移動局ＵＥに対して送信する。
【００９３】
ステップＳ４００５において、移動局ＵＥが、上述のＲＲＣコネクションにおいて、ＲＬＦを検出する。
【００９４】
その後、移動局ＵＥは、ステップＳ４００６において、セル選択処理を行い、ステップＳ４００７において、選択したセル（或いは、選択したセルを管理する無線基地局ｅＮＢ＃２）に対して、共通制御チャネルを介して、上述の「Ｃ-ＲＮＴＩ」と「ＰＣＩ」と「ｓｈｏｒｔ  ＭＡＣ-Ｉ」とを含む「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【００９５】
ステップＳ４００８において、無線基地局ｅＮＢ＃２は、当該移動局ＵＥの「ＵＥコンテキスト（ｓｈｏｒｔ  ＭＡＣ-Ｉ）」を事前に保持しているため、かかる「ｓｈｏｒｔ  ＭＡＣ-Ｉ」と、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｓｈｏｒｔ  ＭＡＣ-Ｉ」とを比較することによって、当該「ＲＲＣ  Ｃｏｎｎｅｃｔｉｏｎ  Ｒｅ-ｅｓｔａｂｌｉｓｈｍｅｎｔ  Ｒｅｑｕｅｓｔ」の正当性を確認する。
【００９６】
図６の例では、当該「ＲＲＣ  Ｃｏｎｎｅｃｔｉｏｎ  Ｒｅ-ｅｓｔａｂｌｉｓｈｍｅｎｔ  Ｒｅｑｕｅｓｔ」の正当性が確認できたため、ステップＳ４００９において、無線基地局ｅＮＢ＃２は、移動局ＵＥに対して、「ＲＲＣ  Ｃｏｎｎｅｃｔｉｏｎ  Ｒｅ-ｅｓｔａｂｌｉｓｈｍｅｎｔ」を送信する。
【００９７】
ステップＳ４０１０において、移動局ＵＥは、無線基地局ｅＮＢ＃２に対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ」を送信する。
【００９８】
無線基地局ｅＮＢ＃２は、ステップＳ４０１１において、交換局ＭＭＥに対して、「Ｓ１  Ｐａｔｈ  Ｓｗｉｔｃｈ」を送信すると共に、ステップＳ４０１２において、移動局ＵＥに対して、「ＲＲＣ  Ｃｏｎｎｅｃｔｉｏｎ  Ｒｅｃｏｎｆｉｇｕｒａｔｉｏｎ」を送信する。
【００９９】
ステップＳ４０１３において、移動局ＵＥは、無線基地局ｅＮＢ＃２に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信し、ステップＳ４０１４において、交換局ＭＭＥは、無線基地局ｅＮＢ＃２に対して、「Ｓ１  Ｐａｔｈ  Ｓｗｉｔｃｈ  Ａｃｋ」を送信する。
【０１００】
この結果、上述の再接続手順が成功し、移動局ＵＥと無線基地局ｅＮＢ＃２との間でＲＲＣコネクションが確立され、無線基地局ｅＮＢ＃２と交換局ＭＭＥとの間でＳ１コネクションが確立される。
【０１０１】
（本発明の第１の実施形態に係る移動通信システムの作用・効果）
本発明の第１の実施形態に係る移動通信システムによれば、ＰＤＣＰレイヤ機能が存在しない共通制御チャネルを介して送信される「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｓｈｏｒｔ  ＭＡＣ-Ｉ」を算出することができる。
【０１０２】
また、本発明の第１の実施形態に係る移動通信システムによれば、「ＨＯ  Ｐｒｅｐａｒａｔｉｏｎ」によって受信した無線基地局ｅＮＢでは、「ｓｈｏｒｔ  ＭＡＣ-Ｉ」を計算する必要がなく、単純に、ＲＲＣレイヤ機能によって「ｓｈｏｒｔ  ＭＡＣ-Ｉ」の比較を行うだけで、「ＲＲＣ  Ｃｏｎｎｅｃｔｉｏｎ  Ｒｅ-ｅｓｔａｂｌｉｓｈｍｅｎｔ  Ｒｅｑｕｅｓｔ」の正当性を確認することができる。
【０１０３】
また、本発明の第１の実施形態に係る移動通信システムによれば、ハンドオーバ時に、ハンドオーバ元無線基地局Ｓ-ｅＮＢとハンドオーバ先無線基地局Ｔ-ｅＮＢとの間で、使用する「Ｉｎｔｅｇｒｉｔｙ  Ｐｒｏｔｅｃｔｉｏｎ」用アルゴリズム（ＬＴＥ方式では、ＡＥＳ或いはＳｎｏｗ３Ｇの２種類が選択可能）が異なる場合であっても、「ＲＲＣ  Ｃｏｎｎｅｃｔｉｏｎ  Ｒｅ-ｅｓｔａｂｌｉｓｈｍｅｎｔ  Ｒｅｑｕｅｓｔ」の正当性を確認することができる。
【０１０４】
（変更例）
また、無線基地局ｅＮＢ＃１は、周辺の無線基地局ｅＮＢ＃２に対して、「ｓｈｏｒｔ  ＭＡＣ-Ｉ」を含まない「ＨＯ  Ｐｒｅｐａｒａｔｉｏｎ」を送信しないように構成されていてもよい。ただし、かかる「ＨＯ  Ｐｒｅｐａｒａｔｉｏｎ」には、「Ｃ-ＲＮＴＩ」及び「ＰＣＩ」は含まれているものとする。
【０１０５】
かかる場合、第１に、周辺の無線基地局ｅＮＢ＃２のＲＲＣレイヤ機能は、移動局ＵＥから受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「Ｃ-ＲＮＴＩ」及び「ＰＣＩ」を抽出し、抽出した「Ｃ-ＲＮＴＩ」及び「ＰＣＩ」に基づいて、「ＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵを仮に作成する。
【０１０６】
ここで、周辺の無線基地局ｅＮＢ＃２のＲＲＣレイヤ機能は、かかる「ＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵにおいて、「ｓｈｏｒｔ  ＭＡＣ-Ｉ」の値は、全て「０」とする。
【０１０７】
或いは、周辺の無線基地局ｅＮＢ＃２のＲＲＣレイヤ機能は、かかる「ＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵにおいて、「ｓｈｏｒｔ  ＭＡＣ-Ｉ」の上位ビット或いは下位）ビットを「ＰＣＩ」（移動局ＵＥから「ＲＲＣ  Ｃｏｎｎｅｃｔｉｏｎ  Ｒｅ-ｅｓｔａｂｌｉｓｈｍｅｎｔ  Ｒｅｑｕｅｓｔ」を受信した、無線基地局ｅＮＢ＃２配下の「ＰＣＩ」）に設定し、残りの部分を「０」にする。
【０１０８】
第２に、周辺の無線基地局ｅＮＢ＃２のＲＲＣレイヤ機能は、生成したＲＲＣ  Ｃｏｎｎｅｃｔｉｏｎ  Ｒｅ-ｅｓｔａｂｌｉｓｈｍｅｎｔ  Ｒｅｑｕｅｓｔ」用のＲＲＣ-ＰＤＵを、周辺の無線基地局ｅＮＢ＃２のＰＤＣＰレイヤ機能に送信する。
【０１０９】
第３に、周辺の無線基地局ｅＮＢ＃２のＰＤＣＰレイヤ機能は、「ＭＡＣ-Ｉ（受信側なので、Ｘ-ＭＡＣと呼ばれてもよい）」を算出する。ここで、第１鍵ＫＲＲＣ_ＩＰや「ＣＯＵＮＴ」や「ベアラＩＤ」や「ｄｉｒｅｃｔｉｏｎ」は、移動局ＵＥにおける算出操作と同様に取り扱われる。
【０１１０】
第４に、周辺の無線基地局ｅＮＢ＃２のＲＲＣレイヤ機能は、ＰＤＣＰ機能から受信した「ＭＡＣ-Ｉ」のＬＳＢ又はＭＳＢの１６ビットを切り出す（これを「ｓｈｏｒｔＸ-ＭＡＣ」と呼ぶ）。
【０１１１】
周辺の無線基地局ｅＮＢ＃２のＲＲＣレイヤ機能は、かかる「ｓｈｏｒｔＸ-ＭＡＣ」と、移動局ＵＥから受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｓｈｏｒｔ  ＭＡＣ-Ｉ」との一致を確認することで、当該「ＲＲＣ  Ｃｏｎｎｅｃｔｉｏｎ  Ｒｅ-ｅｓｔａｂｌｉｓｈｍｅｎｔ  Ｒｅｑｕｅｓｔ」の信憑性を評価する。
【０１１２】
なお、周辺の無線基地局ｅＮＢ＃２に対して「Ｐｒｅｐａｒｅ手順」がなされていない場合には、周辺の無線基地局ｅＮＢ＃２が、事前に「ＵＥコンテキスト」を保持していないため、第１鍵ＫＲＲＣ_ＩＰも持ち合わせておらず、「ｓｈｏｒｔＸ-ＭＡＣ」を計算するまでもなく、「ＲＲＣ  Ｃｏｎｎｅｃｔｉｏｎ  Ｒｅ-ｅｓｔａｂｌｉｓｈｍｅｎｔ  Ｒｅｊｅｃｔ」を送信する。
【０１１３】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１１４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１１６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１１７】
【図１】本発明の第１の実施形態に係る移動通信システムの全体構成図である。
【図２】本発明の第１の実施形態に係る移動局と無線基地局との間のプロトコルスタックを示す図である。
【図３】本発明の第１の実施形態に係る移動局において「ｓｈｏｒｔ  ＭＡＣ-Ｉ」を生成する動作を示すシーケンス図である。
【図４】本発明の第１の実施形態に係る移動通信システムにおける再接続手順を示すシーケンス図である。
【図５】本発明の第１の実施形態に係る移動通信システムにおける再接続手順を示すシーケンス図である。
【図６】本発明の第１の実施形態に係る移動通信システムにおける再接続手順を示すシーケンス図である。
【符号の説明】
【０１１８】
ＵＥ…移動局
ＭＭＥ…交換局
ｅＮＢ…無線基地局
【図１】
2010004503.tif 000003
【図２】
2010004503.tif 000004
【図３】
2010004503.tif 000005
【図４】
2010004503.tif 000006
【図５】
2010004503.tif 000007
【図６】
2010004503.tif 000008
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
移動局が、第１鍵と、第１パラメータと、「Ｉｎｔｅｇｒｉｔｙ  Ｐｒｏｔｅｃｔｉｏｎ」用アルゴリズムとを用いて、第１検証用情報を生成する工程と、
前記移動局が、前記第１検証用情報の所定ビットを切り出して第２検証用情報を生成する工程と、
前記移動局が、ＲＲＣコネクションにおける無線リンク障害を検出した場合、セル選択処理を行い、選択したセルを管理する無線基地局に対して、共通制御チャネルを介して、前記第２検証用情報が設定されたＲＲＣ再接続要求用のＲＲＣ-ＰＤＵを送信する工程とを有することを特徴とする移動通信方法。
【請求項２】
前記第１パラメータは、「ＣＯＵＮＴ」、「ベアラＩＤ」及び「ｄｉｒｅｃｔｉｏｎ（ＤＬ/ＵＬ）」であり、
前記ＲＲＣ再接続要求用のＲＲＣ-ＰＤＵには、物理セルＩＤ及びＣ-ＲＮＴＩが設定されていることを特徴とする請求項１に記載の移動通信方法。
【請求項３】
無線基地局が、第１鍵と、第１パラメータと、「Ｉｎｔｅｇｒｉｔｙ  Ｐｒｏｔｅｃｔｉｏｎ」用アルゴリズムとを用いて、第１検証用情報を生成する工程と、
前記無線基地局が、前記第１検証用情報の所定ビットを切り出して第２検証用情報を生成する工程と、
移動局が、ＲＲＣコネクションにおける無線リンク障害を検出した場合、セル選択処理を行い、選択したセルを管理する前記無線基地局に対して、共通制御チャネルを介して、ＲＲＣ再接続要求用のＲＲＣ-ＰＤＵを送信する工程と、
前記無線基地局が、前記第２検証用情報を用いて、前記移動局から受信した前記ＲＲＣ再接続要求用のＲＲＣ-ＰＤＵについて検証する工程とを有することを特徴とする移動通信方法。
【請求項４】
前記第１パラメータは、「ＣＯＵＮＴ」、「ベアラＩＤ」及び「ｄｉｒｅｃｔｉｏｎ（ＤＬ/ＵＬ）」であることを特徴とする請求項３に記載の移動通信方法。
【請求項５】
移動局であって、
第１鍵と、第１パラメータと、「Ｉｎｔｅｇｒｉｔｙ  Ｐｒｏｔｅｃｔｉｏｎ」用アルゴリズムとを用いて、第１検証用情報を生成するように構成されている第１検証用情報生成部と、
前記第１検証用情報の所定ビットを切り出して第２検証用情報を生成するように構成されている第２検証用情報部と、
ＲＲＣコネクションにおける無線リンク障害を検出した場合、セル選択処理を行い、選択したセルを管理する無線基地局に対して、共通制御チャネルを介して、前記第２検証用情報が設定されたＲＲＣ再接続要求用のＲＲＣ-ＰＤＵを送信するように構成されている送信部とを具備することを特徴とする移動局。
【請求項６】
前記第１パラメータは、「ＣＯＵＮＴ」、「ベアラＩＤ」及び「ｄｉｒｅｃｔｉｏｎ（ＤＬ/ＵＬ）」であり、
前記ＲＲＣ再接続要求用のＲＲＣ-ＰＤＵには、物理セルＩＤ及びＣ-ＲＮＴＩが設定されていることを特徴とする請求項５に記載の移動局。
【請求項７】
前記送信部は、前記ＲＲＣ再接続要求用のＲＲＣ-ＰＤＵには、前記物理セルＩＤとして、ＲＲＣコネクションにおける無線リンク障害が生じたセルの物理セルＩＤを設定し、前記Ｃ-ＲＮＴＩとして、該無線リンク障害が生じたセルにおいて前記移動局ＵＥによって使用されていたＣ-ＲＮＴＩを設定するように構成されていることを特徴とする請求項５又は６に記載の移動局。
【請求項８】
無線基地局であって、
第１鍵と、第１パラメータと、「Ｉｎｔｅｇｒｉｔｙ  Ｐｒｏｔｅｃｔｉｏｎ」用アルゴリズムとを用いて、第１検証用情報を生成するように構成されている第１検証用情報生成部と、
前記第１検証用情報の所定ビットを切り出して第２検証用情報を生成するように構成されている第２検証用情報生成部と、
前記第２検証用情報を用いて、共通制御チャネルを介して移動局から受信したＲＲＣ再接続要求用のＲＲＣ-ＰＤＵについて検証するように構成されている検証部とを具備することを特徴とする無線基地局。
【請求項９】
前記第１パラメータは、「ＣＯＵＮＴ」、「ベアラＩＤ」及び「ｄｉｒｅｃｔｉｏｎ（ＤＬ/ＵＬ）」であることを特徴とする請求項８に記載の無線基地局。
【請求項１０】
ハンドオーバ準備信号によって、周辺の無線基地局に対して、前記第２検証用情報を通知するように構成されている通知部を具備することを特徴とする請求項８又は９に記載の無線基地局。
【請求項１１】
前記第１検証用情報生成部は、ＲＲＣコネクションにおける無線リンク障害が生じたセルの物理セルＩＤと、該無線リンク障害が生じたセルで前記移動局ＵＥが使用していたＣ-ＲＮＴＩと、前記選択したセルのセルＩＤとが設定されているＰＤＵに対して、前記第１検証用情報を生成するように構成されていることを特徴とする請求項５乃至７のいずれか一項に記載の移動局。
【請求項１２】
前記第１検証用情報生成部は、前記移動局から受信した前記ＲＲＣ再接続要求用のＲＲＣ-ＰＤＵから物理セルＩＤ及びＣ-ＲＮＴＩを抽出し、抽出した該物理セルＩＤ及び該Ｃ-ＲＮＴＩと、前記ＲＲＣ-ＰＤＵを受信したセルの（報知）セルＩＤとを含むＰＤＵを生成し、前記ＰＤＵに対して前記第１検証用情報を生成するように構成されていることを特徴とする請求項８乃至１０のいずれか一項に記載の無線基地局。
【請求項１３】
前記ハンドオーバ準備信号によって周辺の無線基地局から受信して保持している第２検証用情報と、該ＲＲＣ再接続要求用のＲＲＣ-ＰＤＵに含まれる第２検証用情報とが一致するかを判定することによって、該ＲＲＣ再接続要求用のＲＲＣ-ＰＤＵの検証を行うように構成されていることを特徴とする請求項１０に記載の無線基地局。